(57)【要約】【課題】スクリーンの保持構造に関する信頼性を高める目的で接着剤を固定部材として採用した場合、レンチキュラースクリーンとフレネルレンズスクリーン間への接着剤の染み込みを防ぐ。【解決手段】レンチキュラースクリーン３１１とフレネルレンズスクリーン３１２は、断面がＴ字状のＴ字棒材３３の突起部３３１を挟み込んだ状態で重ねられ、レンチキュラースクリーンとフレネルレンズスクリーンが重ねられたスクリーン部材３１の端面３１３、３１４と、Ｔ字棒材の背面３３２と、スクリーン支持部材３２の外周面３２２に接着剤３４が塗布され、接着剤を介して伸縮性を有する帯状部材３５が貼り合わされる。【選択図】図５
2007127950.tif 000002
【特許請求の範囲】
【請求項１】
フレネルレンズスクリーン及びレンチキュラースクリーンを重ね合わせたスクリーン部材と、前記スクリーン部材を支持するスクリーン支持部材を連結した構造体を複数個、２次元に配列して大型スクリーンを構成する背面型プロジェクタ装置において、
前記フレネルレンズスクリーンと前記レンチキュラースクリーンとの端面の間に挿入するＴ字状の部材を有し、
前記Ｔ字状の部材により重ね合わせて接着された、前記フレネルレンズスクリーン及び前記レンチキュラースクリーンを、前記スクリーン支持部材内に収納して接着固定することにより、前記スクリーン支持部材を連結した大型スクリーンを均質に形成することを特徴とする背面型プロジェクタ装置。
【発明の詳細な説明】
【技術分野】
【０００１】
本発明は、複数枚の透過型スクリーンを備えたリア（背面型）プロジェクタ装置を縦横に複数組み合わせて大型スクリーンを構成するマルチビジョン型リアプロジェクションシステムに関し、特に、隣接するリアプロジェクタ装置間に生じる隙間（目地幅）を低減させることが可能なスクリーン支持構造に関する。
【背景技術】
【０００２】
近年、大画面の映像表示装置として、リアプロジェクタ装置が注目されている。リアプロジェクタ装置は、フレネルレンズスクリーン及びレンチキュラースクリーンなどを重ね合わせたスクリーン部材と投影装置を有し、投影装置が投射する像や文字などをスクリーン部材の背面に投影し、スクリーン部材の前面から映像などを表示する表示装置である。
【０００３】
さらに、複数のリアプロジェクタ装置を縦横に配列することによってマトリクス状に並ぶスクリーン部材で１つの大画面を構成し、あたかも１つの大型ディスプレイとして利用するマルチビジョン型リアプロジェクションシステムが広く用いられている。マルチビジョン型リアプロジェクションシステムでは、上下左右に隣接する各リアプロジェクタ装置のスクリーン部材間に隙間（以降、これを目地という）が生じ、これが大画面映像に格子状の映像欠落部となって現れ、映像品質の劣化を招いてしまう。そこでスクリーン部材間の目地幅を可能な限り小さくすることが行われており、例えば下記の特許文献１に開示されている技術がある。
【０００４】
図６に１個のリアプロジェクタ装置２の外観と基本構成を示す。リアプロジェクタ装置２は大きく分けてスクリーン枠部３とプロジェクタ装置本体４の２つから構成される。スクリーン枠部３は複数の透光性スクリーンで構成されるスクリーン部材３１とスクリーン支持部材３２（図７参照）を有し、プロジェクタ装置本体４は映像を投影する投影装置４３と、投影装置４３が送出した映像を折り返してスクリーン部材３１の背面に投影する平面ミラー４４を有する。
【０００５】
図７は特許文献１に開示されているリアプロジェクタ装置２の側面断面の概略を表す図であり、図６のＡ−Ａ方向の断面図である。スクリーン部材３１はレンチキュラースクリーン３１１及びフレネルレンズスクリーン３１２などを重ね合わせて構成され、また、スクリーン部材３１の背面とスクリーン支持部材３２の先端が接するように重ね合わされる。重なりあった状態のスクリーン部材３１の端面とスクリーン支持部材３２の外周面には片面粘着テープ３６が貼り付けられ、スクリーン部材３１とスクリーン支持部材３２が互いに連結される。特許文献１では、可能な限りスクリーン外縁の目地を少なくするため、スクリーン部材３１とスクリーン支持部材３２の連結手段として厚みの少ない片面粘着テープ３６が使用される。
【特許文献１】特開２０００−１６２７０９号公報（要約書）
【発明の開示】
【発明が解決しようとする課題】
【０００６】
しかしながら、上記構成とすることで、目地幅を少なくするという目的は達成できるが、形状が大きく、しなりのあるスクリーン部材３１の端面を片面粘着テープ３６によってスクリーン支持部材３２の外周面に固定するため、片面粘着テープ３６の剥がれなどが生じやすく、スクリーン部材３１の保持強度に信頼性を欠くという問題がある。
【０００７】
そこで、片面粘着テープ３６と比較して接着強度が格段に優れる粘着手段である接着剤を使用し、保持強度を高める構造が考えられる。図８はその考えられる構造を示し、スクリーン部材３１とスクリーン支持部材３２との連結部を、片面粘着テープ３６の代わりに帯状部材３５（例えばナイロンテープ）を接着剤３４により接着する。すなわち、スクリーン部材３１の端面と枠状のスクリーン支持部材３２の外周面に接着剤３４を塗布し、接着剤３４を介して帯状部材３５を貼り合わせることで、スクリーン部材３１の端面とスクリーン支持部材３２の外周面が帯状部材３５と面結合し、スクリーン部材３１とスクリーン支持部材３２が連結される。この構成においては、片面粘着テープと比較してより強固な粘着手段である接着剤３４を用いることにより、スクリーン部材３１の外縁の目地幅が小さい状態を保ちつつ、スクリーン部材３１の保持力が大きいスクリーン保持構造を実現し、信頼性の高いリアプロジェクタ装置２を提供することが可能となる。
【０００８】
しかしながら、接着剤３４を用いたスクリーン保持構造では、スクリーン部材３１の端面に塗布した接着剤３４がレンチキュラースクリーン３１１とフレネルレンズスクリーン３１２の間に染み込むことがある。その染み込み部がスクリーン部材３１への投影光を遮蔽したり、あるいは投影映像をにじませてしまい、投影映像の品質劣化を招くことがあった。
【０００９】
そこで本発明は、スクリーンの保持構造に関する信頼性を高める目的で接着剤を固定部材として採用した場合、レンチキュラースクリーンとフレネルレンズスクリーン間への接着剤の染み込みを防ぐことができる構造の背面型プロジェクタ装置を提供することを目的とする。
【課題を解決するための手段】
【００１０】
本発明は上記目的を達成するために、フレネルレンズスクリーン及びレンチキュラースクリーンを重ね合わせたスクリーン部材と、前記スクリーン部材を支持するスクリーン支持部材を連結した構造体を複数個、２次元に配列して大型スクリーンを構成する背面型プロジェクタ装置において、
前記フレネルレンズスクリーンと前記レンチキュラースクリーンとの端面の間に挿入するＴ字状の部材を有し、
前記Ｔ字状の部材により重ね合わせて接着された、前記フレネルレンズスクリーン及び前記レンチキュラースクリーンを、前記スクリーン支持部材内に収納して接着固定することにより、前記スクリーン支持部材を連結した大型スクリーンを均質に形成することを特徴とする。
【発明の効果】
【００１１】
本発明のスクリーン支持構造によれば、粘着テープに比べ接着強度が優れる接着剤をスクリーン部材とスクリーン支持部材の連結に使用する場合において、側面断面がＴ字状の部材により、レンチキュラースクリーンとフレネルレンズスクリーン間へ接着剤が染み込むことなく、スクリーン部材の保持強度を上げることができる。この構造を採用することで、スクリーンへの投影映像の品質を損なうことなく、信頼性の高いリアプロジェクタ装置を実現できる。このリアプロジェクタ装置を組み合わせたマルチビジョン型リアプロジェクションシステムでは、目地幅が小さく、一体感の高い大画面映像を提供することが可能となる。
【発明を実施するための最良の形態】
【００１２】
以下、図面を参照して本発明の実施の形態について説明する。図１は本発明に係るマルチビジョン型リアプロジェクションシステム１の外観斜視図である。図１に示すように、マルチビジョン型リアプロジェクションシステム１は、本発明の実施の形態による４個のリアプロジェクタ装置２（２ａ、２ｂ、２ｃ、２ｄ）を上下左右に並べることで、４組のスクリーン部材３１（３１ａ、３１ｂ、３１ｃ、３１ｄ）を１枚の大きなスクリーンに見立て、大型の映像表示システムを実現する。
【００１３】
ここで、上下左右に隣接するスクリーン部材３１ａ、３１ｂ間の隙間（目地）２１ａ、スクリーン部材３１ａ、３１ｃ間の目地２１ｂ、スクリーン部材３１ｂ、３１ｄ間の目地２１ｃ、スクリーン部材３１ｃ、３１ｄ間の目地２１ｄは映像の欠落となって表示されるため、目地２１ａ〜２１ｄの幅は極力小さいことが望ましい。なお、図１ではマルチビジョン型リアプロジェクションシステム１は２×２の４面で構成しているが、例えば３×２の６面、３×３の９面の場合など、スクリーン部材３１が互いに隣接するように複数のリアプロジェクタ装置２を配置した場合でも本発明を適用することができる。
【００１４】
図２は個々のリアプロジェクタ装置２の外観と基本構造の概略を示す図である。リアプロジェクタ装置２は大きく分けてスクリーン枠部３とプロジェクタ装置本体４の２つから構成される。スクリーン枠部３は、スクリーン部材３１と、スクリーン支持部材３２と両者を連結する手段（図示しないが後述する）から構成され、プロジェクタ装置本体４のスクリーン枠受け部４１に勘合する構造となっている。プロジェクタ装置本体４は、複数のリアプロジェクタ装置２を上下方向に積載したとき、あるいは左右方向に並べたときに、それぞれのスクリーン部材３１同士が隣接するように、その外形寸法、形状が設定されている。
【００１５】
図３は個々のリアプロジェクタ装置２の側面断面図であり、図２中のＡ−Ａ断面を示す図である。プロジェクタ装置本体４は筐体部４２と、投影装置４３と平面ミラー４４から構成され、筐体部４２内部に投影装置４３と平面ミラー４４が固定されている。投影装置４３が投射した投影映像は、まず平面ミラー４４に入射される。平面ミラー４４により反射した投射映像は、開口面であるスクリーン枠受け部４１の内側を通り、スクリーン部材３１の背面へ投影される。この実施の形態では平面ミラー４４を用いているが、リアプロジェクタ装置２の奥行寸法を小さくすることを目的として非球面ミラーを使用する場合にも、本発明を適用することができる。
【００１６】
スクリーン部材３１は、ＰＭＭＡ（ポリメタクリル酸メチル）樹脂などで成形された透光性のレンチキュラーレンズスクリーン３１１及びフレネルレンズスクリーン３１２（図４参照）から構成され、両スクリーンの外形寸法は同一である。平面ミラー４４により反射された投影映像はフレネルレンズスクリーン３１２の背面に投影され、フレネルレンズスクリーン３１２、レンチキュラーレンズ３１１の順に拡散透過し、スクリーン部材３１の前面へ送出される。
【００１７】
図４はスクリーン枠部３の構成概略を示す斜視図である。スクリーン部材３１を支持するスクリーン支持部材３２はその外形がスクリーン部材３１とほぼ同一サイズの枠体であり、奥行方向には所定の厚みを有する。レンチキュラースクリーン３１１とフレネルレンズスクリーン３１２は、断面がＴ字状のＴ字棒材３３の突起部３３１を挟み込んだ状態で重ねられ、さらにフレネルレンズスクリーン３１２の背面とスクリーン支持部材３２の端面３２１が接するように配置される。それぞれの外周が揃うように重ねられたスクリーン部材３１とスクリーン支持部材３２はその外周に、伸縮性を有する帯状部材３５（図５参照）を巻きつけ接着することで連結される。
【００１８】
図５は、スクリーン部材３１とスクリーン支持部材３２をその外周で連結した状態の断面図であり、図３のＢ部詳細図に相当する。Ｔ字棒材３３の突起部３３１を挟みこんだ状態のレンチキュラースクリーン３１１とフレネルレンズスクリーン３１２は、スクリーン支持部材３２と外周が揃うように重ねられる。このときスクリーン支持部材３２の端面３２１はフレネルレンズスクリーン３１２の背面と接している。そして、重ねられたスクリーン部材３１の端面３１３、３１４と、Ｔ字棒材３３の背面３３２と、スクリーン支持部材３２の外周面３２２に接着剤３４が塗布され、接着剤３４を介して伸縮性を有する帯状部材３５が貼り合わされる。本実施の形態では、接着剤３４として弾性を有するエポキシ系接着剤を使用する。接着剤３４が硬化すると接着層が形成され、これにより、スクリーン部材３１の端面３１３、３１４と、Ｔ字棒材３３の背面３３２と、スクリーン支持部材３２の外周面３２２が帯状部材３５と面接合する。結果として、スクリーン部材３１とスクリーン支持部材３２は、帯状部材３５を介して連結されることになる。本実施の形態では伸縮性を有する帯状部材３５としてナイロン製のテープを使用することで、スクリーン部材３１の端面３１３、３１４とＴ字棒材３３の背面３３２により生じる段差を吸収している。また、ナイロン製テープは、弾性を有するエポキシ系接着剤に対してアンカー効果をもたらし、接着剤３４の保持力を増している。
【図面の簡単な説明】
【００１９】
【図１】本発明に係るマルチビジョン型リアプロジェクションシステムを示す外観斜視図である。
【図２】図１の個々のリアプロジェクタ装置の外観と基本構造を示す図である。
【図３】図１のリアプロジェクタ装置の側面断面図である。
【図４】図３のスクリーン枠部の構成概略を示す斜視図である。
【図５】本発明の実施の形態のスクリーン保持構造を詳細に示す断面図である。
【図６】個々のリアプロジェクタ装置の外観と基本構成を示す図である。
【図７】マルチビジョン型リアプロジェクタ装置の従来のスクリーン保持構造を示す断面図及び部分詳細図である。
【図８】マルチビジョン型リアプロジェクタ装置の従来の他のスクリーン保持構造を示す断面図及び部分詳細図である。
【符号の説明】
【００２０】
１  マルチビジョン型リアプロジェクションシステム
２、２ａ、２ｂ、２ｃ、２ｄ  リアプロジェクタ装置
３  スクリーン枠部
４  プロジェクタ装置本体
２１ａ、２１ｂ、２１ｃ、２１ｄ  目地
３１、３１ａ、３１ｂ、３１ｃ、３１ｄ  スクリーン部材
３２  スクリーン支持部材
３３  Ｔ字棒材
３４  接着剤
３５  帯状部材
３６  片面粘着テープ
４１  スクリーン枠受け部
４２  筐体部
４３  投影装置
４４  平面ミラー
３１１  レンチキュラースクリーン
３１２  フレネルレンズスクリーン
３１３、３１４  スクリーン部材の端面
３２１  スクリーン支持部材端面
３２２  スクリーン支持部材外周面
３３１  Ｔ字棒材突起部
３３２  Ｔ字棒材背面
【図１】
2007127950.tif 000003
【図２】
2007127950.tif 000004
【図３】
2007127950.tif 000005
【図４】
2007127950.tif 000006
【図５】
2007127950.tif 000007
【図６】
2007127950.tif 000008
【図７】
2007127950.tif 000009
【図８】
2007127950.tif 000010